(57)【要約】      （修正有）【課題】携帯端末が充電電源のＡＣアダプターに接続されているか未接続なのかの判定を行う携帯端末エコ充電方式を提供する。【解決手段】携帯端末エコ充電方式は、ＡＣアダプター５に供給する電流値を測定して携帯端末６の充電状態を判定する電流測定センサー３と、携帯端末ごとに測定電流スイッチ１と、充電電流スイッチ２を備え、測定電流スイッチを所定間隔で短時間ＯＮして充電電流が流れるか否かを判定する携帯端末接続判定機能を有し、携帯端末の電池充電量を判定する場合は充電電流スイッチをＯＦＦし、測定電流スイッチＯＮし、充電を行う場合は測定電流スイッチをＯＦＦし、充電電流スイッチをＯＮし、電池充電量が満充電の８０％近辺まで充電されたと判断された携帯端末に対しては、携帯端末接続判定機能によって、ＡＣアダプターに携帯端末が接続されているか否かの判定を行う。【選択図】図１
0003234004.tif 000002
【実用新案登録請求の範囲】
【請求項１】
複数の携帯端末とＡＣアダプターを充電ケーブルで接続して充電を行う充電保管庫において、ＡＣアダプターに供給する電流値を測定して携帯端末の充電状態を判定する電流測定センサーならびに携帯端末ごとに測定電流スイッチと充電電流スイッチを備え、測定電流スイッチを所定間隔で短時間ＯＮして充電電流が流れるか否かを判定する携帯端末接続判定機能を有し、携帯端末の電池充電量を判定する場合は充電電流スイッチをＯＦＦし、測定電流スイッチＯＮして判定し、充電を行う場合は測定電流スイッチをＯＦＦし、充電電流スイッチをＯＮして充電を行い、かつ測定電流スイッチＯＮにより電池充電量が満充電の８０％近辺まで充電されたと判断された携帯端末に対しては、以降において測定電流スイッチのみを所定間隔で短時間ＯＮしてＡＣアダプターから携帯端末に対して電流が流れるか否かの判定を行って、ＡＣアダプターに携帯端末が接続されているか否かの判定を行う、携帯端末エコ充電方式。
【考案の詳細な説明】
【技術分野】
【０００１】携帯端末に利用される電池は蓄電容量、重量、寿命などの理由からリチュウムイオン電池が主流となっているが、携帯端末は搭載するリチュウムイオン電池が充電容量の１００％を超える過充電により電池寿命が短くなるのを防ぐため１００％を超えると充電を停止する機能を備えている。このため、電池が１００％を超えて充電された場合は携帯端末による充電停止機能により充電電流が流れなくなるため、携帯端末がＡＣアダプターに接続されているか否かの判定が出来なくなるため、８０％で充電を停止させるエコ充電により充電電流が流れる２０％の電池残量を利用して、携帯端末のＡＣアダプターへの接続、未接続判定を行う。
【背景技術】
【０００２】リチュウムイオン電池の電池寿命の劣化を防ぐ手段として充電を８０％程度で停止させるエコ充電は広く普及しつつ有るが、エコ充電の特性を利用して、携帯端末が充電電源のＡＣアダプターに接続されているか否かの判定を行う充電方式は提案されていない。
【考案が解決しようとする課題】
【０００３】リチュウムイオン電池の電池寿命の劣化を防ぐエコ充電の特性を利用して、携帯端末が充電電源のＡＣアダプターに接続されているか未接続なのかの判定を行う充電方式を提案する。
【課題を解決するための手段】
【０００４】ＡＣアダプターに供給する電流値を測定して携帯端末の充電状態を判定する電流測定センサー、ならびに携帯端末ごとに測定電流スイッチと充電電流スイッチを備え、測定電流スイッチを所定間隔で短時間ＯＮして充電電流が流れるか否かを判定する携帯端末接続判定機能を有し、携帯端末の電池充電量を判定する場合は充電電流スイッチをＯＦＦし、測定電流スイッチＯＮして判定し、充電を行う場合は測定電流スイッチをＯＦＦし、充電電流スイッチをＯＮして充電を行い、かつ測定電流スイッチＯＮにより電池充電量が満充電の８０％近辺まで充電されたと判断された携帯端末に対しては、以降において測定電流スイッチのみを所定間隔で短時間ＯＮしてＡＣアダプターから携帯端末に対して電流が流れるか否かの判定を行って、ＡＣアダプターに携帯端末が接続されているか否かの判定を行う。
【考案の効果】
【０００５】リチュウムイオン電池の電池寿命の劣化を防ぐエコ充電を利用して、携帯端末が充電電源のＡＣアダプターに接続されているか未接続なのかの判定を行う充電方式により、リチュウムイオン電池の寿命劣化が防がれるとともに、エコ充電における充電残量の２０％を利用して携帯端末がＡＣアダプターに接続されているか未接続なのかの判定を行うことが出来る。
【考案を実施するための形態】
【０００６】図２にリチュウムイオン電池の充電電流特性を示す。リチュウムイオンの充電は定電流でのＣＣ充電で電池充電量が８０％程度に達すると定電圧充電でのＣＶ充電を行って１００％の満充電になる。エコ充電は電池充電量が８０％程度に達すると充電を停止させる充電方式であるため、８０％〜１００％迄の間は電池に充電電圧を印加すれば充電電流は流れる。ただしＣＶ充電領域で流れる充電電流は図２に示すように満充電に近づくほど少なくなるため、極めて短時間に制限して充電電圧を印加して充電電流が流れるか否かを所定間隔で判定する事により満充電までの間に多数回の接続判定が可能である。
【０００７】図１に本考案によるエコ充電方式の構成概要例を示す。１は測定電流スイッチ、２は測定電流スイッチ、３は電流測定センサー、４は測定電流スイッチ１を制御して電流測定センサーにより充電電流を測定して電池の充電状況を想定し、充電の要否に応じて充電電流スイッチ２を制御すると共に、エコ充電に於いて充電が８０％に達したか否かをＣＣ充電域からＣＶ充電域への移行により判断して、以降はＡＣアダプターと携帯端末との接続、未接続の判定を行う充電制御回路を示す。ＡＣアダプターと携帯端末との接続、未接続の判定はＣＶ充電領域において、数秒間測定電流スイッチ１をＯＮして充電電流が流れるか否かにより判定するため、例えば３０００ｍＡｈのリチュウムイオン電池であれば、８０％充電では満充電まで２０％：６００ｍＡｈの追加充電が必要となるため、ＡＣアダプターと携帯端末との接続、未接続の判定に１０分サイクルで５００ｍＡの電流が１０Ｓｅｃ間印加された場合は１回の判定での追加される充電量は１．４ｍＡｈの微少に過ぎないため、満充電になるには多数回の判定サイクルを必要とする。このようにして、充電保管庫内に配置された携帯端末が８０％以上の充電状態に有る事を表示しつつ、ＡＣアダプターに接続されていることを示すことが可能となる。
【実施例】
【０００８】充電保管庫は携帯端末として大型のノートパソコン（最大：Ｗ３５０×Ｄ２８０×Ｈ３０ｍｍ）２２台を収納可能とするＷ９３３×Ｄ５３０×Ｈ５０５ｍｍサイズで構成し、収納した携帯端末の持ち去り、盗難を防ぐために筐体を鉄板で構成し、扉には鍵を付与した。電流測定センサーはＡＣ１００Ｖ電流センサーを使用し、測定電流スイッチ、充電電流スイッチはトライアックを使用し、ＡＣアダプターと携帯端末の接続判定は、ＣＶ充電領域において、１０分サイクルで測定電流スイッチを５秒間ＯＮして電流の流れを判定した。ＣＶ領域におけるサイクル、測定電流スイッチのＯＮ時間は、電池充電量を１００％に到達させる時間をどれだけ長く設定するかにより決めるなど、素材、ディメンジョン、規定値などに関しては、本考案の趣旨を逸脱しない範囲で有れば種々変形実施が可能である。
【図面の簡単な説明】
【０００９】
【図１】リチュウムイオン電池の充電電流特性を示す。
【図２】本考案によるエコ充電方式の構成概要例を示す。
【符号の説明】１．測定電流スイッチ
２．充電電流スイッチ
３．電流測定センサー
４．充電制御回路
５．ＡＣアダプター
６．携帯端末
【図１】
0003234004.tif 000003
【図２】
0003234004.tif 000004